(57)【要約】【課題】圧縮機と熱源側熱交換器とレシーバと利用側熱交換器とを含む冷媒回路を有しており、通常運転と冷媒量判定運転とを切り換えて行うことが可能な冷凍装置において、冷媒量判定時の誤差を小さくする。【解決手段】冷凍装置（１）は、圧縮機（２１）と、熱源側熱交換器（２４、２５）と、レシーバ（２８）と、利用側熱交換器（５２ａ、５２、ｂ、５２ｃ、５２ｄ）とを含む冷媒回路（１０）を有しており、通常運転と冷媒量判定運転とを切り換えて行うことが可能である。そして、ここでは、冷媒回路（１０）に、レシーバ（２８）をバイパスするレシーババイパス管（３８）を接続しており、冷媒量判定運転において、レシーババイパス管（３８）に冷媒を流してレシーバ（２８）をバイパスさせる。【選択図】図１
2015075259.tif 000002
【特許請求の範囲】
【請求項１】
圧縮機（２１）と、熱源側熱交換器（２４、２５）と、レシーバ（２８）と、利用側熱交換器（５２ａ、５２ｂ、５２ｃ、５２ｄ）とを含む冷媒回路（１０）を有しており、前記利用側熱交換器から要求される熱負荷に応じた冷凍サイクル運転である通常運転と、前記冷媒回路内の冷媒量の適否を判定するための冷凍サイクル運転である冷媒量判定運転とを切り換えて行うことが可能な冷凍装置において、
前記冷媒回路に、前記レシーバをバイパスするレシーババイパス管（３８）を接続しており、
前記冷媒量判定運転において、前記レシーババイパス管に冷媒を流して前記レシーバをバイパスさせる、
冷凍装置（１）。
【請求項２】
前記冷媒回路（１０）に、前記レシーババイパス管（３８）を通じて前記レシーバ（２８）をバイパスした冷媒が前記レシーバに流入することを抑制するレシーバ逆流防止機構（２８ｄ）を設けている、
請求項１に記載の冷凍装置（１）。
【請求項３】
前記冷媒回路（１０）に、前記熱源側熱交換器（２４、２５）を流れる冷媒の流量を調節する熱源側流量調節機構（２６、２７）を設けており、
前記冷媒回路（１０）に、前記冷媒回路の前記熱源側熱交換器と前記熱源側流量調節機構との間の部分から分岐するように前記レシーババイパス管（３８）を接続している、
請求項１又は２に記載の冷凍装置（１）。
【請求項４】
前記レシーババイパス管（３８）は、前記レシーババイパス管を流れる冷媒の流量を調節するバイパス側流量調節機構（３９）を有している、
請求項１〜３のいずれか１項に記載の冷凍装置（１）。
【請求項５】
前記レシーババイパス管（３８）は、前記バイパス側流量調節機構（３９）の上流側の部分に、前記バイパス側流量調節機構側からの冷媒の逆流を抑制するバイパス逆流防止機構（４０ａ、４０ｂ）を有している、
請求項４に記載の冷凍装置（１）。
【請求項６】
前記レシーババイパス管（３８）は、前記バイパス逆流防止機構（４０ａ、４０ｂ）をバイパスする液封防止管（３８ｄ）を有している、
請求項５に記載の冷凍装置（１）。
【請求項７】
前記レシーバ（２８）に、前記レシーバの上部と前記圧縮機（２１）の吸入側とを接続するレシーバガス抜き管（４１）を接続している、
請求項１〜６のいずれか１項に記載の冷凍装置（１）。
【発明の詳細な説明】
【技術分野】
【０００１】
本発明は、冷凍装置、特に、圧縮機と熱源側熱交換器とレシーバと利用側熱交換器とを含む冷媒回路を有しており、利用側熱交換器から要求される熱負荷に応じた冷凍サイクル運転である通常運転と、冷媒回路内の冷媒量の適否を判定するための冷凍サイクル運転である冷媒量判定運転とを切り換えて行うことが可能な冷凍装置に関する。
【背景技術】
【０００２】
従来より、特許文献１（特開２００６−２９２２１２号公報）に示すように、圧縮機と熱源側熱交換器とレシーバと利用側熱交換器とを含む冷媒回路を有しており、冷媒量判定運転を行って冷媒回路内の冷媒量の適否を判定する機能（冷媒量判定機能）を有する空気調和装置（冷凍装置）がある。この冷凍装置は、利用側熱交換器から要求される熱負荷に応じた冷凍サイクル運転である通常運転と、冷媒回路内の冷媒量の適否を判定するための冷凍サイクル運転である冷媒量判定運転とを切り換えて行うことが可能であり、冷媒量判定運転時に液面検知管等の液面検知手段を使用してレシーバの液面を一定に保って冷媒回路内の冷媒量の適否を判定するようにしている。
【発明の概要】
【発明が解決しようとする課題】
【０００３】
しかし、冷媒量判定運転時にレシーバ液面を一定に保って冷媒量判定を行う場合には、レシーバに液面検知手段を設ける必要があり、また、液面検知手段として液面検知管を使用する場合には十分な精度が得られにくい場合があるため、結果的にレシーバの液面を一定に保つことができず、冷媒量判定の誤差を小さくすることができないおそれがある。このように、レシーバを含む冷媒回路を有する冷凍装置においては、冷媒量判定機能を付加する際に、冷媒量判定の誤差を小さくすることが望まれている。
【０００４】
本発明の課題は、圧縮機と熱源側熱交換器とレシーバと利用側熱交換器とを含む冷媒回路を有しており、通常運転と冷媒量判定運転とを切り換えて行うことが可能な冷凍装置において、冷媒量判定時の誤差を小さくすることにある。
【課題を解決するための手段】
【０００５】
第１の観点にかかる冷凍装置は、圧縮機と、熱源側熱交換器と、レシーバと、利用側熱交換器とを含む冷媒回路を有しており、利用側熱交換器から要求される熱負荷に応じた冷凍サイクル運転である通常運転と、冷媒回路内の冷媒量の適否を判定するための冷凍サイクル運転である冷媒量判定運転とを切り換えて行うことが可能である。そして、ここでは、冷媒回路に、レシーバをバイパスするレシーババイパス管を接続しており、冷媒量判定運転において、レシーババイパス管に冷媒を流してレシーバをバイパスさせる。
【０００６】
ここでは、上記のように、冷媒量判定運転時にレシーババイパス管によってレシーバに冷媒を流さないようにすることができる。このため、レシーバを冷媒回路から切り離した状態（すなわち、レシーバに冷媒が導入されない状態）で冷媒回路内の冷媒量の適否を判定することができる。これにより、ここでは、冷媒量判定時の誤差を小さくすることができる。
【０００７】
第２の観点にかかる冷凍装置は、第１の観点にかかる冷凍装置において、冷媒回路に、レシーババイパス管を通じてレシーバをバイパスした冷媒がレシーバに流入することを抑制するレシーバ逆流防止機構を設けている。
【０００８】
ここでは、上記のように、レシーバ逆流防止機構によってレシーバをバイパスした冷媒がレシーバに流入することを抑制することができる。これにより、ここでは、冷媒量判定運転時に、レシーバを冷媒回路から切り離した状態を維持することができる。
【０００９】
第３の観点にかかる冷凍装置は、第１又は第２の観点にかかる冷凍装置において、冷媒回路に、熱源側熱交換器を流れる冷媒の流量を調節する熱源側流量調節機構を設けており、冷媒回路に、冷媒回路の熱源側熱交換器と熱源側流量調節機構との間の部分から分岐するようにレシーババイパス管を接続している。
【００１０】
ここでは、上記のように、冷媒回路の熱源側熱交換器と熱源側流量調節機構との間の部分から分岐するようにレシーババイパス管を接続しているため、通常運転時には熱源側流量調節機構を開けることによって、熱源側熱交換器を通過した冷媒をレシーバに導き、冷媒量判定運転時には熱源側流量調節機構を閉止することによって、熱源側熱交換器を通過した冷媒をレシーババイパス管に導いて、レシーバをバイパスさせることができる。これにより、ここでは、通常運転から冷媒量判定運転への移行時に、レシーバを冷媒回路から切り離した状態に確実に切り換えることができる。
【００１１】
第４の観点にかかる冷凍装置は、第１〜第３の観点のいずれかにかかる冷凍装置において、レシーババイパス管が、レシーババイパス管を流れる冷媒の流量を調節するバイパス側流量調節機構を有している。
【００１２】
ここでは、上記のように、レシーババイパス管にバイパス側流量調節機構を設けているため、通常運転時にはバイパス側流量調節機構を閉止することによって、熱源側熱交換器を通過した冷媒がレシーバをバイパスしないようにし、冷媒量判定運転時にはバイパス側流量調節機構を開けることによって、熱源側熱交換器を通過した冷媒をレシーババイパス管に導いて、レシーバをバイパスさせることができる。これにより、ここでは、冷媒量判定運転から通常運転への復帰時に、レシーバを使用する状態に確実に切り換えることができる。
【００１３】
第５の観点にかかる冷凍装置は、第４の観点にかかる冷凍装置において、レシーババイパス管が、バイパス側流量調節機構の上流側の部分に、バイパス側流量調節機構側からの冷媒の逆流を抑制するバイパス逆流防止機構を有している。
【００１４】
ここでは、上記のように、レシーババイパス管のバイパス側流量調節機構の上流側の部分にバイパス逆流防止機構を設けているため、バイパス側流量調節機構を開けた状態において、冷媒がレシーババイパス管を逆流することを抑制することができる。
【００１５】
第６の観点にかかる冷凍装置は、第５の観点にかかる冷凍装置において、レシーババイパス管が、バイパス逆流防止機構をバイパスする液封防止管を有している。
【００１６】
ここでは、上記のように、レシーババイパス管にバイパス逆流防止機構をバイパスする液封防止管を設けているため、バイパス側流量調節機構を閉止した状態において、レシーババイパス管のバイパス逆流防止機構とバイパス側流量調節機構との間の部分における液封を防止することができる。
【００１７】
第７の観点にかかる冷凍装置は、第１〜第６の観点のいずれかにかかる冷凍装置において、レシーバに、レシーバの上部と圧縮機の吸入側とを接続するレシーバガス抜き管を接続している。
【００１８】
ここでは、上記のように、レシーバにレシーバガス抜き管を接続しているため、冷媒量判定運転時に、レシーバ内に存在する液冷媒を減圧蒸発させることで圧縮機の吸入側に抜き出して、レシーバを空の状態に近づけることができる。これにより、ここでは、冷媒量判定時の誤差をさらに小さくすることができる。
【発明の効果】
【００１９】
以上の説明に述べたように、本発明によれば、以下の効果が得られる。
【００２０】
第１の観点にかかる冷凍装置では、レシーバを冷媒回路から切り離した状態（すなわち、レシーバに冷媒が導入されない状態）で冷媒回路内の冷媒量の適否を判定することができ、これにより、冷媒量判定時の誤差を小さくすることができる。
【００２１】
第２の観点にかかる冷凍装置では、冷媒量判定運転時に、レシーバを冷媒回路から切り離した状態を維持することができる。
【００２２】
第３の観点にかかる冷凍装置では、通常運転から冷媒量判定運転への移行時に、レシーバを冷媒回路から切り離した状態に確実に切り換えることができる。
【００２３】
第４の観点にかかる冷凍装置では、冷媒量判定運転から通常運転への復帰時に、レシーバを使用する状態に確実に切り換えることができる。
【００２４】
第５の観点にかかる冷凍装置では、バイパス側流量調節機構を開けた状態において、冷媒がレシーババイパス管を逆流することを抑制することができる。
【００２５】
第６の観点にかかる冷凍装置では、バイパス側流量調節機構を閉止した状態において、レシーババイパス管のバイパス逆流防止機構とバイパス側流量調節機構との間の部分における液封を防止することができる。
【００２６】
第７の観点にかかる冷凍装置では、冷媒量判定運転時に、レシーバ内に存在する液冷媒を減圧蒸発させることで圧縮機の吸入側に抜き出して、レシーバを空の状態に近づけることができ、これにより、冷媒量判定時の誤差をさらに小さくすることができる。
【図面の簡単な説明】
【００２７】
【図１】本発明にかかる冷凍装置の一実施形態としての冷暖同時運転型空気調和装置の概略構成図である。
【図２】通常運転モードの冷房運転における動作（冷媒の流れ）を示す図である。
【図３】通常運転モードの暖房運転における動作（冷媒の流れ）を示す図である。
【図４】通常運転モードの冷暖同時運転（蒸発負荷主体）における動作（冷媒の流れ）を示す図である。
【図５】通常運転モードの冷暖同時運転（放熱負荷主体）における動作（冷媒の流れ）を示す図である。
【図６】冷媒量判定運転モードの冷媒自動充填運転のフローチャートである。
【図７】冷媒量判定運転モードの冷媒自動充填運転における動作（冷媒の流れ）を示す図である。
【図８】冷媒量判定運転における熱源側熱交換器の液側における冷媒の過冷却度と冷媒回路内の冷媒量との関係を示すグラフである。
【図９】冷媒量判定運転モードの冷媒漏洩検知運転のフローチャートである。
【図１０】冷媒量判定運転モードの冷媒漏洩検知運転における動作（冷媒の流れ）を示す図である。
【発明を実施するための形態】
【００２８】
以下、本発明にかかる冷凍装置の実施形態について、図面に基づいて説明する。尚、本発明にかかる冷凍装置の具体的な構成は、下記の実施形態及びその変形例に限られるものではなく、発明の要旨を逸脱しない範囲で変更可能である。
【００２９】
（１）冷凍装置（冷暖同時運転型空気調和装置）の構成
図１は、本発明にかかる冷凍装置の一実施形態としての冷暖同時運転型空気調和装置１の概略構成図である。冷暖同時運転型空気調和装置１は、蒸気圧縮式の冷凍サイクル運転を行うことによって、ビル等の室内の冷暖房に使用される装置である。
【００３０】
冷暖同時運転型空気調和装置１は、主として、１台の熱源ユニット２と、複数（ここでは、４台）の利用ユニット３ａ、３ｂ、３ｃ、３ｄと、各利用ユニット３ａ、３ｂ、３ｃ、３ｄに接続される接続ユニット４ａ、４ｂ、４ｃ、４ｄと、接続ユニット４ａ、４ｂ、４ｃ、４ｄを介して熱源ユニット２と利用ユニット３ａ、３ｂ、３ｃ、３ｄとを接続する冷媒連絡管７、８、９とを有している。すなわち、冷暖同時運転型空気調和装置１の蒸気圧縮式の冷媒回路１０は、熱源ユニット２と、利用ユニット３ａ、３ｂ、３ｃ、３ｄと、接続ユニット４ａ、４ｂ、４ｃ、４ｄと、冷媒連絡管７、８、９とが接続されることによって構成されている。そして、冷暖同時運転型空気調和装置１は、各利用ユニット３ａ、３ｂ、３ｃ、３ｄが個別に冷房運転又は暖房運転を行うことが可能になっており、暖房運転を行う利用ユニットから冷房運転を行う利用ユニットに冷媒を送ることで利用ユニット間において熱回収を行うこと（ここでは、冷房運転と暖房運転とを同時に行う冷暖同時運転を行うこと）が可能になるように構成されている。しかも、冷暖同時運転型空気調和装置１では、上記の熱回収（冷暖同時運転）も考慮した複数の利用ユニット３ａ、３ｂ、３ｃ、３ｄ全体の熱負荷に応じて、熱源ユニット２の熱負荷をバランスさせるように構成されている。
【００３１】
＜利用ユニット＞
利用ユニット３ａ、３ｂ、３ｃ、３ｄは、ビル等の室内の天井に埋め込みや吊り下げ等、又は、室内の壁面に壁掛け等により設置されている。利用ユニット３ａ、３ｂ、３ｃ、３ｄは、冷媒連絡管７、８、９及び接続ユニット４ａ、４ｂ、４ｃ、４ｄを介して熱源ユニット２に接続されており、冷媒回路１０の一部を構成している。
【００３２】
次に、利用ユニット３ａ、３ｂ、３ｃ、３ｄの構成について説明する。尚、利用ユニット３ａと利用ユニット３ｂ、３ｃ、３ｄとは同様の構成であるため、ここでは、利用ユニット３ａの構成のみ説明し、利用ユニット３ｂ、３ｃ、３ｄの構成については、それぞれ、利用ユニット３ａの各部を示す符号の添字「ａ」の代わりに、「ｂ」、「ｃ」又は「ｄ」の添字を付して、各部の説明を省略する。
【００３３】
利用ユニット３ａは、主として、冷媒回路１０の一部を構成しており、利用側冷媒回路１３ａ（利用ユニット３ｂ、３ｃ、３ｄでは、それぞれ、利用側冷媒回路１３ｂ、１３ｃ、１３ｄ）を有している。利用側冷媒回路１３ａは、主として、利用側流量調節弁５１ａと、利用側熱交換器５２ａとを有している。
【００３４】
利用側流量調節弁５１ａは、利用側熱交換器５２ａを流れる冷媒の流量の調節等を行うために、利用側熱交換器５２ａの液側に接続された開度調節が可能な電動膨張弁である。
【００３５】
利用側熱交換器５２ａは、冷媒と室内空気との熱交換を行うための機器であり、例えば、多数の伝熱管及びフィンによって構成されたフィン・アンド・チューブ型熱交換器からなる。ここで、利用ユニット３ａは、ユニット内に室内空気を吸入して、熱交換した後に、供給空気として屋内に供給するための室内ファン５３ａを有しており、室内空気と利用側熱交換器３２ａを流れる冷媒とを熱交換させることが可能である。室内ファン５３ａは、室内ファンモータ５４ａによって駆動される。
【００３６】
また、利用ユニット３ａは、利用ユニット３ａを構成する各部５１ａ、５４ａの動作を制御する利用側制御部５０ａを有している。そして、利用側制御部５０ａは、利用ユニット３ａの制御を行うために設けられたマイクロコンピュータやメモリを有しており、リモコン（図示せず）との間で制御信号等のやりとりを行ったり、熱源ユニット２との間で制御信号等のやりとりを行うことができるようになっている。
【００３７】
＜熱源ユニット＞
熱源ユニット２は、ビル等の屋上等に設置されており、冷媒連絡管７、８、９を介して利用ユニット３ａ、３ｂ、３ｃ、３ｄに接続されており、利用ユニット３ａ、３ｂ、３ｃ、３ｄとの間で冷媒回路１０を構成している。
【００３８】
次に、熱源ユニット２の構成について説明する。熱源ユニット２は、主として、冷媒回路１０の一部を構成しており、熱源側冷媒回路１２を有している。熱源側冷媒回路１２は、主として、圧縮機２１と、複数（ここでは、２つ）の熱交切換機構２２、２３と、複数（ここでは、２つ）の熱源側熱交換器２４、２５と、２つの熱源側熱交換器２４、２５に対応する熱源側流量調節機構としての熱源側流量調節弁２６、２７と、レシーバ２８と、ブリッジ回路２９と、高低圧切換機構３０と、液側閉鎖弁３１と、高低圧ガス側閉鎖弁３２と、低圧ガス側閉鎖弁３３とを有している。
【００３９】
圧縮機２１は、ここでは、冷媒を圧縮するための機器であり、例えば、圧縮機モータ２１ａをインバータ制御することで運転容量を可変することが可能なスクロール型等の容積式圧縮機からなる。圧縮機２１の吸入側には、冷媒を充填する際に冷媒ボンベ等を接続するために使用される充填ノズル２１ｂが接続されている。
【００４０】
第１熱交切換機構２２は、第１熱源側熱交換器２４を冷媒の放熱器として機能させる場合（以下、「放熱運転状態」とする）には圧縮機２１の吐出側と第１熱源側熱交換器２４のガス側とを接続し（図１の第１熱交切換機構２２の実線を参照）、第１熱源側熱交換器２４を冷媒の蒸発器として機能させる場合（以下、「蒸発運転状態」とする）には圧縮機２１の吸入側と第１熱源側熱交換器２４のガス側とを接続するように（図１の第１熱交切換機構２２の破線を参照）、熱源側冷媒回路１２内における冷媒の流路を切り換えることが可能な機器であり、例えば、四路切換弁からなる。また、第２熱交切換機構２３は、第２熱源側熱交換器２５を冷媒の放熱器として機能させる場合（以下、「放熱運転状態」とする）には圧縮機２１の吐出側と第２熱源側熱交換器２５のガス側とを接続し（図１の第２熱交切換機構２３の実線を参照）、第２熱源側熱交換器２５を冷媒の蒸発器として機能させる場合（以下、「蒸発運転状態」とする）には圧縮機２１の吸入側と第２熱源側熱交換器２５のガス側とを接続するように（図１の第２熱交切換機構２３の破線を参照）、熱源側冷媒回路１２内における冷媒の流路を切り換えることが可能な機器であり、例えば、四路切換弁からなる。そして、第１熱交切換機構２２及び第２熱交切換機構２３の切り換え状態を変更することによって、第１熱源側熱交換器２４及び第２熱源側熱交換器２５は、個別に冷媒の蒸発器又は放熱器として機能させる切り換えが可能になっている。
【００４１】
第１熱源側熱交換器２４は、冷媒と室外空気との熱交換を行うための機器であり、例えば、多数の伝熱管及びフィンによって構成されたフィン・アンド・チューブ型熱交換器からなる。第１熱源側熱交換器２４は、そのガス側が第１熱交切換機構２２に接続され、その液側が第１熱源側流量調節弁２６に接続されている。また、第２熱源側熱交換器２５は、冷媒と室外空気との熱交換を行うための機器であり、例えば、多数の伝熱管及びフィンによって構成されたフィン・アンド・チューブ型熱交換器からなる。第２熱源側熱交換器２５は、そのガス側が第２熱交切換機構２３に接続され、その液側が第２熱源側流量調節弁２７に接続されている。ここでは、第１熱源側熱交換器２４と第２熱源側熱交換器２５とが一体の熱源側熱交換器として構成されている。そして、熱源ユニット２は、ユニット内に室外空気を吸入して、熱交換した後に、ユニット外に排出するための室外ファン３４を有しており、室外空気と熱源側熱交換器２４、２５を流れる冷媒とを熱交換させることが可能である。室外ファン３４は、回転数制御が可能な室外ファンモータ３４ａによって駆動される。
【００４２】
熱源側流量調節機構としての第１熱源側流量調節弁２６は、第１熱源側熱交換器２４を流れる冷媒の流量の調節等を行うために、第１熱源側熱交換器２４の液側に接続された開度調節が可能な電動膨張弁である。また、熱源側流量調節機構としての第２熱源側流量調節弁２７は、第２熱源側熱交換器２５を流れる冷媒の流量の調節等を行うために、第２熱源側熱交換器２５の液側に接続された開度調節が可能な電動膨張弁である。
【００４３】
レシーバ２８は、熱源側熱交換器２４、２５と利用側冷媒回路１３ａ、１３ｂ、１３ｃ、１３ｄとの間を流れる冷媒を一時的に溜めるための容器である。レシーバ２８の上部には、レシーバ入口管２８ａが設けられており、レシーバ２８の下部には、レシーバ出口管２８ｂが設けられている。また、レシーバ入口管２８ａには、開閉制御が可能なレシーバ入口開閉弁２８ｃが設けられている。そして、レシーバ２８の入口管２８ａ及び出口管２８ｂは、ブリッジ回路２９を介して、熱源側熱交換器２４、２５と液側閉鎖弁３１との間に接続されている。
【００４４】
また、レシーバ２８には、レシーバガス抜き管４１が接続されている。レシーバガス抜き管４１は、レシーバ入口管２８ａとは別にレシーバ２８の上部に設けられており、レシーバ２８の上部と圧縮機２１の吸入側とを接続している。レシーバガス抜き管４１には、レシーバ２８からガス抜きされる冷媒の流量の調節等を行うために、レシーバガス抜き用流量調節機構としてのレシーバガス抜き用流量調節弁４２が設けられている。ここで、レシーバガス抜き用流量調節弁４２は、開度調節が可能な電動膨張弁からなる。
【００４５】
ブリッジ回路２９は、冷媒が熱源側熱交換器２４、２５側から液側閉鎖弁３１側に向かって流れる場合、及び、冷媒が液側閉鎖弁３１側から熱源側熱交換器２４、２５側に向かって流れる場合のいずれにおいても、レシーバ入口管２８ａを通じてレシーバ２８内に冷媒を流入させ、レシーバ出口管２８ｂを通じてレシーバ２８内から冷媒を流出させる機能を有する回路である。ブリッジ回路２９は、４つの逆止弁２９ａ、２９ｂ、２９ｃ、２９ｄを有している。そして、入口逆止弁２９ａは、熱源側熱交換器２４、２５側からレシーバ入口管２８ａへの冷媒の流通のみを許容する逆止弁である。入口逆止弁２９ｂは、液側閉鎖弁３１側からレシーバ入口管２８ａへの冷媒の流通のみを許容する逆止弁である。すなわち、入口逆止弁２９ａ、２９ｂは、熱源側熱交換器２４、２５側又は液側閉鎖弁３１側からレシーバ入口管２８ａに冷媒を流通させる機能を有している。出口逆止弁２９ｃは、レシーバ出口管２８ｂから液側閉鎖弁３１側への冷媒の流通のみを許容する逆止弁である。出口逆止弁２９ｄは、レシーバ出口管２８ｂから熱源側熱交換器２４、２５側への冷媒の流通のみを許容する逆止弁である。すなわち、出口逆止弁２９ｃ、２９ｄは、レシーバ出口管２８ｂから熱源側熱交換器２４、２５側又は液側閉鎖弁３１側に冷媒を流通させる機能を有している。
【００４６】
高低圧切換機構３０は、圧縮機２１から吐出された高圧のガス冷媒を利用側冷媒回路１３ａ、１３ｂ、１３ｃ、１３ｄに送る場合（以下、「放熱負荷主体運転状態」とする）には、圧縮機２１の吐出側と高低圧ガス側閉鎖弁３２とを接続し（図１の高低圧切換機構３０の破線を参照）、圧縮機２１から吐出された高圧のガス冷媒を利用側冷媒回路１３ａ、１３ｂ、１３ｃ、１３ｄに送らない場合（以下、「蒸発負荷主体運転状態」とする）には、高低圧ガス側閉鎖弁３２と圧縮機２１の吸入側とを接続するように（図１の高低圧切換機構３０の実線を参照）、熱源側冷媒回路１２内における冷媒の流路を切り換えることが可能な機器であり、例えば、四路切換弁からなる。
【００４７】
液側閉鎖弁３１、高低圧ガス側閉鎖弁３２及び低圧ガス側閉鎖弁３３は、外部の機器・配管（具体的には、冷媒連絡管７、８及び９）との接続口に設けられた弁である。液側閉鎖弁３１は、ブリッジ回路２９を介してレシーバ入口管２８ａ又はレシーバ出口管２８ｂに接続されている。高低圧ガス側閉鎖弁３２は、高低圧切換機構３０に接続されている。低圧ガス側閉鎖弁３３は、圧縮機２１の吸入側に接続されている。
【００４８】
また、冷媒回路１０の一部である熱源側冷媒回路１２には、レシーバ２８をバイパスするレシーババイパス管３８が接続されている。レシーババイパス管３８は、後述の冷媒量判定運転において、冷媒を流してレシーバ２８をバイパスさせることで、レシーバ２８に冷媒を流さないようにして、レシーバ２８を冷媒回路１０から切り離した状態（すなわち、レシーバ２８に冷媒が導入されない状態）にするための冷媒管である。ここでは、レシーババイパス管３８は、熱源側冷媒回路１２の熱源側熱交換器２４、２５と熱源側流量調節機構としての熱源側流量調節弁２６、２７との間の部分から分岐している。そして、レシーババイパス管３８は、レシーバ２８の出口側のレシーバ出口管２８ｂに合流している。レシーバ出口管２８ｂには、レシーババイパス管３８を通じてレシーバ２８をバイパスした冷媒がレシーバ２８に流入することを抑制するレシーバ逆流防止機構としてのレシーバ逆流防止用逆止弁２８ｄが設けられている。ここでは、レシーバ逆流防止用逆止弁２８ｄは、レシーバ出口管２８ｂのレシーバ２８の出口とレシーババイパス管３８の合流部との間の部分に設けられた逆止弁である。
【００４９】
レシーババイパス管３８は、主として、第１熱源側熱交換器２４の液側から分岐される第１バイパス分岐管３８ａと、第２熱源側熱交換器２５の液側から分岐される第２バイパス分岐管３８ｂと、バイパス分岐管３８ａ、３８ｂとを合流させるバイパス合流管３８ｃとを有している。また、レシーババイパス管３８は、レシーババイパス管３８を流れる冷媒の流量の調節等を行うために、バイパス側流量調節機構としてのバイパス側流量調節弁３９が設けられている。ここで、バイパス側流量調節弁３９は、バイパス合流管３８ｃに設けられた開度調節が可能な電動膨張弁である。また、レシーババイパス管３８は、バイパス側流量調節弁３９の上流側の部分に、バイパス側流量調節弁３９側からの冷媒の逆流を抑制するバイパス逆流防止機構としてのバイパス逆流防止用逆止弁４０ａ、４０ｂを有している。ここでは、バイパス逆流防止用逆止弁４０ａ、４０ｂは、バイパス分岐管３８ａ、３８ｂに設けられた逆止弁である。さらに、レシーババイパス管３８には、バイパス逆流防止用逆止弁４０ａ、４０ｂをバイパスする液封防止管３８ｄが設けられている。ここでは、液封防止管３８ｄは、第１熱源側熱交換器２４の液側から分岐されて、レシーババイパス管３８のバイパス逆流防止用逆止弁４０ａ、４０ｂの出口側とバイパス側流量調節弁３９との間の部分に合流しており、キャピラリチューブを有する冷媒管である。
【００５０】
また、熱源ユニット２には、各種のセンサが設けられている。具体的には、圧縮機２１の吸入側における冷媒の圧力を検出する吸入圧力センサ７１と、圧縮機２１の吸入側における冷媒の温度を検出する吸入温度センサ７２と、圧縮機２１の吐出側における冷媒の圧力を検出する吐出圧力センサ７３と、熱源側熱交換器２４、２５の液側における冷媒の温度を検出する液側温度センサ７４とが設けられている。また、熱源ユニット２は、熱源ユニット２を構成する各部２１ａ、２２、２３、２６、２７、２８ｃ、３０、３４ａ、３９、４１の動作を制御する熱源側制御部２０を有している。そして、熱源側制御部２０は、熱源ユニット２の制御を行うために設けられたマイクロコンピュータやメモリを有しており、利用ユニット３ａ、３ｂ、３ｃ、３ｄの利用側制御部５０ａ、５０ｂ、５０ｃ、５０ｄとの間で制御信号等のやりとりを行うことができるようになっている。
【００５１】
＜接続ユニット＞
接続ユニット４ａ、４ｂ、４ｃ、４ｄは、ビル等の室内に利用ユニット３ａ、３ｂ、３ｃ、３ｄとともに設置されている。接続ユニット４ａ、４ｂ、４ｃ、４ｄは、冷媒連絡管９、１０、１１とともに、利用ユニット３、４、５と熱源ユニット２との間に介在しており、冷媒回路１０の一部を構成している。
【００５２】
次に、接続ユニット４ａ、４ｂ、４ｃ、４ｄの構成について説明する。尚、接続ユニット４ａと接続ユニット４ｂ、４ｃ、４ｄとは同様の構成であるため、ここでは、接続ユニット４ａの構成のみ説明し、接続ユニット４ｂ、４ｃ、４ｄの構成については、それぞれ、接続ユニット４ａの各部を示す符号の添字「ａ」の代わりに、「ｂ」、「ｃ」又は「ｄ」の添字を付して、各部の説明を省略する。
【００５３】
接続ユニット４ａは、主として、冷媒回路１０の一部を構成しており、接続側冷媒回路１４ａ（接続ユニット４ｂ、４ｃ、４ｄでは、それぞれ、接続側冷媒回路１４ｂ、１４ｃ、１４ｄ）を有している。接続側冷媒回路１４ａは、主として、液接続管６１ａと、ガス接続管６２ａとを有している。
【００５４】
液接続管６１ａは、液冷媒連絡管７と利用側冷媒回路１３ａの利用側流量調節弁５１ａとを接続している。
【００５５】
ガス接続管６２ａは、高低圧ガス冷媒連絡管８に接続された高圧ガス接続管６３ａと、低圧ガス冷媒連絡管９に接続された低圧ガス接続管６４ａと、高圧ガス接続管６３ａと低圧ガス接続管６４ａとを合流させる合流ガス接続管６５ａとを有している。合流ガス接続管６５ａは、利用側冷媒回路１３ａの利用側熱交換器５２ａのガス側に接続されている。高圧ガス接続管６３ａには、開閉制御が可能な高圧ガス開閉弁６６ａが設けられており、低圧ガス接続管６４ａには、開閉制御が可能な低圧ガス開閉弁６７ａが設けられている。
【００５６】
そして、接続ユニット４ａは、利用ユニット３ａが冷房運転を行う際には、低圧ガス開閉弁６７ａを開けた状態にして、液冷媒連絡管７を通じて液接続管６１ａに流入する冷媒を利用側冷媒回路１３ａの利用側流量調節弁５１ａを通じて利用側熱交換器５２ａに送り、利用側熱交換器５２ａにおいて室内空気との熱交換によって蒸発した冷媒を、合流ガス接続管６５ａ及び低圧ガス接続管６４ａを通じて、低圧ガス冷媒連絡管９に戻すように機能することができる。また、接続ユニット４ａは、利用ユニット３ａが暖房運転を行う際には、低圧ガス開閉弁６７ａを閉止し、かつ、高圧ガス開閉弁６６ａを開けた状態にして、高低圧ガス冷媒連絡管８を通じて高圧ガス接続管６３ａ及び合流ガス接続管６５ａに流入する冷媒を利用側冷媒回路１３ａの利用側熱交換器５２ａに送り、利用側熱交換器５２ａにおいて室内空気との熱交換によって放熱した冷媒を、利用側流量調節弁５１ａ及び液接続管６１ａを通じて、液冷媒連絡管７に戻すように機能することができる。この機能は、接続ユニット４ａだけでなく、接続ユニット４ｂ、４ｃ、４ｄも同様に有しているため、接続ユニット４ａ、４ｂ、４ｃ、４ｄによって、利用側熱交換器５２ａ、５２ｂ、５２ｃ、５２ｄは、個別に冷媒の蒸発器又は放熱器として機能させる切り換えが可能になっている。
【００５７】
また、接続ユニット４ａは、接続ユニット４ａを構成する各部６６ａ、６７ａの動作を制御する接続側制御部６０ａを有している。そして、接続側制御部６０ａは、接続ユニット６０ａの制御を行うために設けられたマイクロコンピュータやメモリを有しており、利用ユニット３ａの利用側制御部５０ａとの間で制御信号等のやりとりを行うことができるようになっている。
【００５８】
以上のように、利用側冷媒回路１３ａ、１３ｂ、１３ｃ、１３ｄと、熱源側冷媒回路１２と、冷媒連絡管７、８、９と、接続側冷媒回路１４ａ、１４ｂ、１４ｃ、１４ｄとが接続されて、冷暖同時運転型空気調和装置１の冷媒回路１０が構成されている。そして、冷暖同時運転型空気調和装置１では、圧縮機２１と、熱源側熱交換器２４、２５と、レシーバ２８と、利用側熱交換器５２ａ、５２ｂ、５２ｃ、５２ｄとを含む冷媒回路１０を有する冷凍装置を構成している。そして、ここでは、後述のように、利用側熱交換器５２ａ、５２ｂ、５２ｃ、５２ｄから要求される熱負荷に応じた冷凍サイクル運転である通常運転と、冷媒回路１０内の冷媒量の適否を判定するための冷凍サイクル運転である冷媒量判定運転とを切り換えて行うことが可能である。そして、ここでは、上記のように、冷媒回路１０に、レシーバ２８をバイパスするレシーババイパス管３８を接続しており、これにより、後述の冷媒量判定運転において、レシーババイパス管３８に冷媒を流してレシーバをバイパスさせる動作がなされるようになっている。
【００５９】
（２）冷凍装置（冷暖同時運転型空気調和装置）の動作
次に、冷暖同時運転型空気調和装置１の動作について説明する。
【００６０】
冷暖同時運転型空気調和装置１の運転モードは、大まかには、利用側熱交換器５２ａ、５２ｂ、５２ｃ、５２ｄから要求される熱負荷に応じた冷凍サイクル運転である通常運転モードと、冷媒回路１０内の冷媒量の適否を判定するための冷凍サイクル運転である冷媒量判定運転モードとに分けることができる。
【００６１】
そして、通常運転モードとしては、冷房運転と、暖房運転と、冷暖同時運転（蒸発負荷主体）と、冷暖同時運転（放熱負荷主体）とがある。ここで、冷房運転は、冷房運転（すなわち、利用側熱交換器が冷媒の蒸発器として機能する運転）を行う利用ユニットだけが存在し、利用ユニット全体の蒸発負荷に対して熱源側熱交換器２４、２５を冷媒の放熱器として機能させる運転である。暖房運転は、暖房運転（すなわち、利用側熱交換器が冷媒の放熱器として機能する運転）を行う利用ユニットだけが存在し、利用ユニット全体の放熱負荷に対して熱源側熱交換器２４、２５を冷媒の蒸発器として機能させる運転である。冷暖同時運転（蒸発負荷主体）は、冷房運転（すなわち、利用側熱交換器が冷媒の蒸発器として機能する運転）を行う利用ユニットと暖房運転（すなわち、利用側熱交換器が冷媒の放熱器として機能する運転）を行う利用ユニットとが混在し、利用ユニット全体の熱負荷が蒸発負荷主体である場合に、この利用ユニット全体の蒸発負荷に対して熱源側熱交換器２４、２５を冷媒の放熱器として機能させる運転である。冷暖同時運転（放熱負荷主体）は、冷房運転（すなわち、利用側熱交換器が冷媒の蒸発器として機能する運転）を行う利用ユニットと暖房運転（すなわち、利用側熱交換器が冷媒の放熱器として機能する運転）を行う利用ユニットとが混在し、利用ユニット全体の熱負荷が放熱負荷主体である場合に、この利用ユニット全体の放熱負荷に対して熱源側熱交換器２４、２５を冷媒の蒸発器として機能させる運転である。
【００６２】
また、冷媒量判定運転モードとしては、冷媒自動充填運転と冷媒漏洩検知運転とがある。ここで、冷媒自動充填運転は、冷媒回路１０内を循環する冷媒の状態を安定させる運転（冷媒量判定運転）を行いつつ、冷媒回路１０内の冷媒量が目標量に到達するまで冷媒回路１０に冷媒を充填する運転である。また、冷媒漏洩検知運転は、冷媒量判定運転を行いつつ、冷媒回路１０内の冷媒量が基準量を満たすかどうか（すなわち、冷媒回路１０から外部に冷媒が漏洩していないかどうか）を検知する運転である。
【００６３】
尚、これらの運転モードを含む冷暖同時運転型空気調和装置１の動作は、上記の制御部２０、５０ａ、５０ｂ、５０ｃ、５０ｄ、６０ａ、６０ｂ、６０ｃ、６０ｄによって行われる。
【００６４】
＜通常運転モード＞
−冷房運転−
通常運転モードの冷房運転の際、例えば、利用ユニット３ａ、３ｂ、３ｃ、３ｄの全てが冷房運転（すなわち、利用側熱交換器５２ａ、５２ｂ、５２ｃ、５２ｄの全てが冷媒の蒸発器として機能する運転）を行い、熱源側熱交換器２４、２５が冷媒の放熱器として機能する際、空気調和装置１の冷媒回路１０は、図２に示されるように構成される（冷媒の流れについては、図２の冷媒回路１０に付された矢印を参照）。
【００６５】
具体的には、熱源ユニット２においては、第１熱交切換機構２２を放熱運転状態（図２の第１熱交切換機構２２の実線で示された状態）に切り換え、第２熱交切換機構２３を放熱運転状態（図２の第２熱交切換機構２３の実線で示された状態）に切り換えることによって、熱源側熱交換器２４、２５を冷媒の放熱器として機能させるようになっている。また、高低圧切換機構３０を蒸発負荷主体運転状態（図２の高低圧切換機構３０の実線で示された状態）に切り換えている。また、熱源側流量調節機構としての熱源側流量調節弁２６、２７は、開度調節され、レシーバ入口開閉弁２８ｃは、開状態になっている。さらに、バイパス側流量調節機構としてのバイパス側流量調節弁３９を閉状態にすることによって、レシーババイパス管３８に冷媒を流さずに、レシーバ２８に冷媒を流すようになっている。接続ユニット４ａ、４ｂ、４ｃ、４ｄにおいては、高圧ガス開閉弁６６ａ、６６ｂ、６６ｃ、６６ｄ、及び、低圧ガス開閉弁６７ａ、６７ｂ、６７ｃ、６７ｄを開状態にすることによって、利用ユニット３ａ、３ｂ、３ｃ、３ｄの利用側熱交換器５２ａ、５２ｂ、５２ｃ、５２ｄの全てを冷媒の蒸発器として機能させるとともに、利用ユニット３ａ、３ｂ、３ｃ、３ｄの利用側熱交換器５２ａ、５２ｂ、５２ｃ、５２ｄの全てと熱源ユニット２の圧縮機２１の吸入側とが高低圧ガス冷媒連絡管８及び低圧ガス冷媒連絡管９を介して接続された状態になっている。利用ユニット３ａ、３ｂ、３ｃ、３ｄにおいては、利用側流量調節弁５１ａ、５１ｂ、５１ｃ、５１ｄは、開度調節されている。
【００６６】
このような冷媒回路１０において、圧縮機２１で圧縮され吐出された高圧のガス冷媒は、熱交切換機構２２、２３を通じて、熱源側熱交換器２４、２５に送られる。そして、熱源側熱交換器２４、２５に送られた高圧のガス冷媒は、熱源側熱交換器２４、２５において、室外ファン３４によって供給される熱源としての室外空気と熱交換を行うことによって放熱する。そして、熱源側熱交換器２４、２５において放熱した冷媒は、熱源側流量調節弁２６、２７において流量調節された後、合流して、入口逆止弁２９ａ及びレシーバ入口開閉弁２８ｃを通じて、レシーバ２８に送られる。そして、レシーバ２８に送られた冷媒は、レシーバ２８内に一時的に溜められた後、レシーバ逆流防止機構としてのレシーバ逆流防止用逆止弁２８ｄ、出口逆止弁２９ｃ及び液側閉鎖弁３１を通じて、液冷媒連絡管７に送られる。
【００６７】
そして、液冷媒連絡管７に送られた冷媒は、４つに分岐されて、各接続ユニット４ａ、４ｂ、４ｃ、４ｄの液接続管６１ａ、６１ｂ、６１ｃ、６１ｄに送られる。そして、液接続管６１ａ、６１ｂ、６１ｃ、６１ｄに送られた冷媒は、利用ユニット３ａ、３ｂ、３ｃ、３ｄの利用側流量調節弁５１ａ、５１ｂ、５１ｃ、５１ｄに送られる。
【００６８】
そして、利用側流量調節弁５１ａ、５１ｂ、５１ｃ、５１ｄに送られた冷媒は、利用側流量調節弁５１ａ、５１ｂ、５１ｃ、５１ｄにおいて流量調節された後、利用側熱交換器５２ａ、５２ｂ、５２ｃ、５２ｄにおいて、室内ファン５３ａ、５３ｂ、５３ｃ、５３ｄによって供給される室内空気と熱交換を行うことによって蒸発して低圧のガス冷媒となる。一方、室内空気は、冷却されて室内に供給されて、利用ユニット３ａ、３ｂ、３ｃ、３ｄの冷房運転が行われる。そして、低圧のガス冷媒は、接続ユニット４ａ、４ｂ、４ｃ、４ｄの合流ガス接続管６５ａ、６５ｂ、６５ｃ、６５ｄに送られる。
【００６９】
そして、合流ガス接続管６５ａ、６５ｂ、６５ｃ、６５ｄに送られた低圧のガス冷媒は、高圧ガス開閉弁６６ａ、６６ｂ、６６ｃ、６６ｄ及び高圧ガス接続管６３ａ、６３ｂ、６３ｃ、６３ｄを通じて、高低圧ガス冷媒連絡管８に送られて合流するとともに、低圧ガス開閉弁６７ａ、６７ｂ、６７ｃ、６７ｄ及び低圧ガス接続管６４ａ、６４ｂ、６４ｃ、６４ｄを通じて、低圧ガス冷媒連絡管９に送られて合流する。
【００７０】
そして、ガス冷媒連絡管８、９に送られた低圧のガス冷媒は、ガス側閉鎖弁３２、３３及び高低圧切換機構３０を通じて、圧縮機２１の吸入側に戻される。
【００７１】
このようにして、通常運転モードの冷房運転における動作が行われる。尚、利用ユニット３ａ、３ｂ、３ｃ、３ｄのいくつかが冷房運転（すなわち、利用側熱交換器５２ａ、５２ｂ、５２ｃ、５２ｄのいくつかが冷媒の蒸発器として機能する運転）を行う等によって、利用側熱交換器５２ａ、５２ｂ、５２ｃ、５２ｄ全体の蒸発負荷が小さくなる場合には、熱源側熱交換器２４、２５の一方（例えば、第１熱源側熱交換器２４）だけを冷媒の放熱器として機能させる運転が行われる。
【００７２】
−暖房運転−
通常運転モードの暖房運転の際、例えば、利用ユニット３ａ、３ｂ、３ｃ、３ｄの全てが暖房運転（すなわち、利用側熱交換器５２ａ、５２ｂ、５２ｃ、５２ｄの全てが冷媒の放熱器として機能する運転）を行い、熱源側熱交換器２４、２５が冷媒の蒸発器として機能する際、空気調和装置１の冷媒回路１０は、図３に示されるように構成される（冷媒の流れについては、図３の冷媒回路１０に付された矢印を参照）。
【００７３】
具体的には、熱源ユニット２においては、第１熱交切換機構２２を蒸発運転状態（図３の第１熱交切換機構２２の破線で示された状態）に切り換え、第２熱交切換機構２３を蒸発運転状態（図３の第２熱交切換機構２３の破線で示された状態）に切り換えることによって、熱源側熱交換器２４、２５を冷媒の蒸発器として機能させるようになっている。また、高低圧切換機構３０を放熱負荷主体運転状態（図３の高低圧切換機構３０の破線で示された状態）に切り換えている。また、熱源側流量調節機構としての熱源側流量調節弁２６、２７は、開度調節され、レシーバ入口開閉弁２８ｃは、開状態になっている。さらに、バイパス側流量調節機構としてのバイパス側流量調節弁３９を閉状態にすることによって、レシーババイパス管３８に冷媒を流さずに、レシーバ２８に冷媒を流すようになっている。接続ユニット４ａ、４ｂ、４ｃ、４ｄにおいては、高圧ガス開閉弁６６ａ、６６ｂ、６６ｃ、６６ｄを開状態にし、低圧ガス開閉弁６７ａ、６７ｂ、６７ｃ、６７ｄを閉状態にすることによって、利用ユニット３ａ、３ｂ、３ｃ、３ｄの利用側熱交換器５２ａ、５２ｂ、５２ｃ、５２ｄの全てを冷媒の放熱器として機能させるとともに、利用ユニット３ａ、３ｂ、３ｃ、３ｄの利用側熱交換器５２ａ、５２ｂ、５２ｃ、５２ｄの全てと熱源ユニット２の圧縮機２１の吐出側とが高低圧ガス冷媒連絡管８を介して接続された状態になっている。利用ユニット３ａ、３ｂ、３ｃ、３ｄにおいては、利用側流量調節弁５１ａ、５１ｂ、５１ｃ、５１ｄは、開度調節されている。
【００７４】
このような冷媒回路１０において、圧縮機２１で圧縮され吐出された高圧のガス冷媒は、高低圧切換機構３０及び高低圧ガス側閉鎖弁３２を通じて、高低圧ガス冷媒連絡管８に送られる。
【００７５】
そして、高低圧ガス冷媒連絡管８に送られた高圧のガス冷媒は、４つに分岐されて、各接続ユニット４ａ、４ｂ、４ｃ、４ｄの高圧ガス接続管６３ａ、６３ｂ、６３ｃ、６３ｄに送られる。高圧ガス接続管６３ａ、６３ｂ、６３ｃ、６３ｄに送られた高圧のガス冷媒は、高圧ガス開閉弁６６ａ、６６ｂ、６６ｃ、６６ｄ及び合流ガス接続管６５ａ、６５ｂ、６５ｃ、６５ｄを通じて、利用ユニット３ａ、３ｂ、３ｃ、３ｄの利用側熱交換器５２ａ、５２ｂ、５２ｃ、５２ｄに送られる。
【００７６】
そして、利用側熱交換器５２ａ、５２ｂ、５２ｃ、５２ｄに送られた高圧のガス冷媒は、利用側熱交換器５２ａ、５２ｂ、５２ｃ、５２ｄにおいて、室内ファン５３ａ、５３ｂ、５３ｃ、５３ｄによって供給される室内空気と熱交換を行うことによって放熱する。一方、室内空気は、加熱されて室内に供給されて、利用ユニット３ａ、３ｂ、３ｃ、３ｄの暖房運転が行われる。利用側熱交換器５２ａ、５２ｂ、５２ｃ、５２ｄにおいて放熱した冷媒は、利用側流量調節弁５１ａ、５１ｂ、５１ｃ、５１ｄにおいて流量調節された後、接続ユニット４ａ、４ｂ、４ｃ、４ｄの液接続管６１ａ、６１ｂ、６１ｃ、６１ｄに送られる。  そして、液接続管６１ａ、６１ｂ、６１ｃ、６１ｄに送られた冷媒は、液冷媒連絡管７に送られて合流する。
【００７７】
そして、液冷媒連絡管７に送られた冷媒は、液側閉鎖弁３１、入口逆止弁２９ｂ及びレシーバ入口開閉弁２８ｃを通じて、レシーバ２８に送られる。レシーバ２８に送られた冷媒は、レシーバ２８内に一時的に溜められた後、レシーバ逆流防止機構としてのレシーバ逆流防止用逆止弁２８ｄ及び出口逆止弁２９ｄを通じて、熱源側流量調節弁２６、２７の両方に送られる。そして、熱源側流量調節弁２６、２７に送られた冷媒は、熱源側流量調節弁２６、２７において流量調節された後、熱源側熱交換器２４、２５において、室外ファン３４によって供給される室外空気と熱交換を行うことによって蒸発して低圧のガス冷媒になり、熱交切換機構２２、２３に送られる。そして、熱交切換機構２２、２３に送られた低圧のガス冷媒は、合流して、圧縮機２１の吸入側に戻される。
【００７８】
このようにして、通常運転モードの暖房運転における動作が行われる。尚、利用ユニット３ａ、３ｂ、３ｃ、３ｄのいくつかが暖房運転（すなわち、利用側熱交換器５２ａ、５２ｂ、５２ｃ、５２ｄのいくつかが冷媒の放熱器として機能する運転）を行う等によって、利用側熱交換器５２ａ、５２ｂ、５２ｃ、５２ｄ全体の放熱負荷が小さくなる場合には、熱源側熱交換器２４、２５の一方（例えば、第１熱源側熱交換器２４）だけを冷媒の蒸発器として機能させる運転が行われる。
【００７９】
−冷暖同時運転（蒸発負荷主体）−
通常運転モードの冷暖同時運転（蒸発負荷主体）の際、例えば、利用ユニット３ａ、３ｂ、３ｃが冷房運転し、かつ、利用ユニット３ｄが暖房運転し（すなわち、利用側熱交換器５２ａ、５２ｂ、５２ｃが冷媒の蒸発器として機能し、かつ、利用側熱交換器５２ｄが冷媒の放熱器として機能する運転）を行い、第１熱源側熱交換器２４が冷媒の放熱器として機能する際、空気調和装置１の冷媒回路１０は、図４に示されるように構成される（冷媒の流れについては、図４の冷媒回路１０に付された矢印を参照）。
【００８０】
具体的には、熱源ユニット２においては、第１熱交切換機構２２を放熱運転状態（図４の第１熱交切換機構２２の実線で示された状態）に切り換えることによって、第１熱源側熱交換器２４だけを冷媒の放熱器として機能させるようになっている。また、高低圧切換機構３０を放熱負荷主体運転状態（図４の高低圧切換機構３０の破線で示された状態）に切り換えている。また、熱源側流量調節機構としての第１熱源側流量調節弁２６は、開度調節され、熱源側流量調節機構としての第２熱源側流量調節弁２７は、閉状態になっており、レシーバ入口開閉弁２８ｃは、開状態になっている。さらに、バイパス側流量調節機構としてのバイパス側流量調節弁３９を閉状態にすることによって、レシーババイパス管３８に冷媒を流さずに、レシーバ２８に冷媒を流すようになっている。接続ユニット４ａ、４ｂ、４ｃ、４ｄにおいては、高圧ガス開閉弁６６ｄ、及び、低圧ガス開閉弁６７ａ、６７ｂ、６７ｃを開状態にし、かつ、高圧ガス開閉弁６６ａ、６６ｂ、６６ｃ、及び、低圧ガス開閉弁６７ｄを閉状態にすることによって、利用ユニット３ａ、３ｂ、３ｃの利用側熱交換器５２ａ、５２ｂ、５２ｃを冷媒の蒸発器として機能させ、かつ、利用ユニット３ｄの利用側熱交換器５２ｄを冷媒の放熱器として機能させるとともに、利用ユニット３ａ、３ｂ、３ｃの利用側熱交換器５２ａ、５２ｂ、５２ｃと熱源ユニット２の圧縮機２１の吸入側とが低圧ガス冷媒連絡管９を介して接続された状態になり、かつ、利用ユニット３ｄの利用側熱交換器５２ｄと熱源ユニット２の圧縮機２１の吐出側とが高低圧ガス冷媒連絡管８を介して接続された状態になっている。利用ユニット３ａ、３ｂ、３ｃ、３ｄにおいては、利用側流量調節弁５１ａ、５１ｂ、５１ｃ、５１ｄは、開度調節されている。
【００８１】
このような冷媒回路１０において、圧縮機２１で圧縮され吐出された高圧のガス冷媒は、その一部が、高低圧切換機構３０及び高低圧ガス側閉鎖弁３２を通じて、高低圧ガス冷媒連絡管８に送られ、残りが、第１熱交切換機構２２を通じて、第１熱源側熱交換器２４に送られる。
【００８２】
そして、高低圧ガス冷媒連絡管８に送られた高圧のガス冷媒は、接続ユニット４ｄの高圧ガス接続管６３ｄに送られる。高圧ガス接続管６３ｄに送られた高圧のガス冷媒は、高圧ガス開閉弁６６ｄ及び合流ガス接続管６５ｄを通じて、利用ユニット３ｄの利用側熱交換器５２ｄに送られる。
【００８３】
そして、利用側熱交換器５２ｄに送られた高圧のガス冷媒は、利用側熱交換器５２ｄにおいて、室内ファン５３ｄによって供給される室内空気と熱交換を行うことによって放熱する。一方、室内空気は、加熱されて室内に供給されて、利用ユニット３ｄの暖房運転が行われる。利用側熱交換器５２ｄにおいて放熱した冷媒は、利用側流量調節弁５１ｄにおいて流量調節された後、接続ユニット４ｄの液接続管６１ｄに送られる。
【００８４】
また、第１熱源側熱交換器２４に送られた高圧のガス冷媒は、第１熱源側熱交換器２４において、室外ファン３４によって供給される熱源としての室外空気と熱交換を行うことによって放熱する。そして、第１熱源側熱交換器２４において放熱した冷媒は、第１熱源側流量調節弁２６において流量調節された後、入口逆止弁２９ａ及びレシーバ入口開閉弁２８ｃを通じて、レシーバ２８に送られる。そして、レシーバ２８に送られた冷媒は、レシーバ２８内に一時的に溜められた後、レシーバ逆流防止機構としてのレシーバ逆流防止用逆止弁２８ｄ、出口逆止弁２９ｃ及び液側閉鎖弁３１を通じて、液冷媒連絡管７に送られる。
【００８５】
そして、利用側熱交換器５２ｄにおいて放熱して液接続管６１ｄに送られた冷媒は、液冷媒連絡管７に送られて、第１熱源側熱交換器２４において放熱して液冷媒連絡管７に送られた冷媒と合流する。
【００８６】
そして、液冷媒連絡管７において合流した冷媒は、３つに分岐されて、各接続ユニット４ａ、４ｂ、４ｃの液接続管６１ａ、６１ｂ、６１ｃに送られる。そして、液接続管６１ａ、６１ｂ、６１ｃに送られた冷媒は、利用ユニット３ａ、３ｂ、３ｃの利用側流量調節弁５１ａ、５１ｂ、５１ｃに送られる。
【００８７】
そして、利用側流量調節弁５１ａ、５１ｂ、５１ｃに送られた冷媒は、利用側流量調節弁５１ａ、５１ｂ、５１ｃにおいて流量調節された後、利用側熱交換器５２ａ、５２ｂ、５２ｃにおいて、室内ファン５３ａ、５３ｂ、５３ｃによって供給される室内空気と熱交換を行うことによって蒸発して低圧のガス冷媒となる。一方、室内空気は、冷却されて室内に供給されて、利用ユニット３ａ、３ｂ、３ｃの冷房運転が行われる。そして、低圧のガス冷媒は、接続ユニット４ａ、４ｂ、４ｃの合流ガス接続管６５ａ、６５ｂ、６５ｃに送られる。
【００８８】
そして、合流ガス接続管６５ａ、６５ｂ、６５ｃに送られた低圧のガス冷媒は、低圧ガス開閉弁６７ａ、６７ｂ、６７ｃ及び低圧ガス接続管６４ａ、６４ｂ、６４ｃを通じて、低圧ガス冷媒連絡管９に送られて合流する。
【００８９】
そして、低圧ガス冷媒連絡管９に送られた低圧のガス冷媒は、ガス側閉鎖弁３３を通じて、圧縮機２１の吸入側に戻される。
【００９０】
このようにして、通常運転モードの冷暖同時運転（蒸発負荷主体）における動作が行われる。尚、冷房運転を行う利用ユニット（すなわち、冷媒の蒸発器として機能する利用側熱交換器）の数が少なくなる等によって、利用側熱交換器５２ａ、５２ｂ、５２ｃ、５２ｄ全体の蒸発負荷が小さくなる場合には、第２熱源側熱交換器２５を冷媒の蒸発器として機能させることで、第１熱源側熱交換器２４の放熱負荷と第２熱源側熱交換器２５との蒸発負荷とを相殺して熱源側熱交換器２４、２５全体の放熱負荷を小さくする運転が行われる。
【００９１】
−冷暖同時運転（放熱負荷主体）−
通常運転モードの冷暖同時運転（放熱負荷主体）の際、例えば、利用ユニット３ａ、３ｂ、３ｃが暖房運転し、かつ、利用ユニット３ｄが冷房運転し（すなわち、利用側熱交換器５２ａ、５２ｂ、５２ｃが冷媒の放熱器として機能し、かつ、利用側熱交換器５２ｄが冷媒の蒸発器として機能する運転）を行い、第１熱源側熱交換器２４だけが冷媒の蒸発器として機能する際、空気調和装置１の冷媒回路１０は、図５に示されるように構成される（冷媒の流れについては、図５の冷媒回路１０に付された矢印を参照）。
【００９２】
具体的には、熱源ユニット２においては、第１熱交切換機構２２を蒸発運転状態（図５の第１熱交切換機構２２の破線で示された状態）に切り換えることによって、第１熱源側熱交換器２４だけを冷媒の蒸発器として機能させるようになっている。また、高低圧切換機構３０を放熱負荷主体運転状態（図５の高低圧切換機構３０の破線で示された状態）に切り換えている。また、熱源側流量調節機構としての第１熱源側流量調節弁２６は、開度調節され、熱源側流量調節機構としての第２熱源側流量調節弁２７は、閉状態になっており、レシーバ入口開閉弁２８ｃは、開状態になっている。さらに、バイパス側流量調節機構としてのバイパス側流量調節弁３９を閉状態にすることによって、レシーババイパス管３８に冷媒を流さずに、レシーバ２８に冷媒を流すようになっている。接続ユニット４ａ、４ｂ、４ｃ、４ｄにおいては、高圧ガス開閉弁６６ａ、６６ｂ、６６ｃ、及び、低圧ガス開閉弁６７ｄを開状態にし、かつ、高圧ガス開閉弁６６ｄ、及び、低圧ガス開閉弁６７ａ、６７ｂ、６７ｃを閉状態にすることによって、利用ユニット３ａ、３ｂ、３ｃの利用側熱交換器５２ａ、５２ｂ、５２ｃを冷媒の放熱器として機能させ、かつ、利用ユニット３ｄの利用側熱交換器５２ｄを冷媒の蒸発器として機能させるとともに、利用ユニット３ｄの利用側熱交換器５２ｄと熱源ユニット２の圧縮機２１の吸入側とが低圧ガス冷媒連絡管９を介して接続された状態になり、かつ、利用ユニット３ａ、３ｂ、３ｃの利用側熱交換器５２ａ、５２ｂ、５２ｃと熱源ユニット２の圧縮機２１の吐出側とが高低圧ガス冷媒連絡管８を介して接続された状態になっている。利用ユニット３ａ、３ｂ、３ｃ、３ｄにおいては、利用側流量調節弁５１ａ、５１ｂ、５１ｃ、５１ｄは、開度調節されている。
【００９３】
このような冷媒回路１０において、圧縮機２１で圧縮され吐出された高圧のガス冷媒は、高低圧切換機構３０及び高低圧ガス側閉鎖弁３２を通じて、高低圧ガス冷媒連絡管８に送られる。
【００９４】
そして、高低圧ガス冷媒連絡管８に送られた高圧のガス冷媒は、３つに分岐されて、各接続ユニット４ａ、４ｂ、４ｃの高圧ガス接続管６３ａ、６３ｂ、６３ｃに送られる。高圧ガス接続管６３ａ、６３ｂ、６３ｃに送られた高圧のガス冷媒は、高圧ガス開閉弁６６ａ、６６ｂ、６６ｃ及び合流ガス接続管６５ａ、６５ｂ、６５ｃを通じて、利用ユニット３ａ、３ｂ、３ｃの利用側熱交換器５２ａ、５２ｂ、５２ｃに送られる。
【００９５】
そして、利用側熱交換器５２ａ、５２ｂ、５２ｃに送られた高圧のガス冷媒は、利用側熱交換器５２ａ、５２ｂ、５２ｃにおいて、室内ファン５３ａ、５３ｂ、５３ｃによって供給される室内空気と熱交換を行うことによって放熱する。一方、室内空気は、加熱されて室内に供給されて、利用ユニット３ａ、３ｂ、３ｃの暖房運転が行われる。利用側熱交換器５２ａ、５２ｂ、５２ｃにおいて放熱した冷媒は、利用側流量調節弁５１ａ、５１ｂ、５１ｃにおいて流量調節された後、接続ユニット４ａ、４ｂ、４ｃの液接続管６１ａ、６１ｂ、６１ｃに送られる。
【００９６】
そして、液接続管６１ａ、６１ｂ、６１ｃ、６１ｄに送られた冷媒は、液冷媒連絡管７に送られて合流する。
【００９７】
液冷媒連絡管７において合流した冷媒は、その一部が、接続ユニット４ｄの液接続管６１ｄに送られ、残りが、液側閉鎖弁３１、入口逆止弁２９ｂ及びレシーバ入口開閉弁２８ｃを通じて、レシーバ２８に送られる。
【００９８】
そして、接続ユニット４ｄの液接続管６１ｄに送られた冷媒は、利用ユニット３ｄの利用側流量調節弁５１ｄに送られる。
【００９９】
そして、利用側流量調節弁５１ｄに送られた冷媒は、利用側流量調節弁５１ｄにおいて流量調節された後、利用側熱交換器５２ｄにおいて、室内ファン５３ｄによって供給される室内空気と熱交換を行うことによって蒸発して低圧のガス冷媒となる。一方、室内空気は、冷却されて室内に供給されて、利用ユニット３ｄの冷房運転が行われる。そして、低圧のガス冷媒は、接続ユニット４ｄの合流ガス接続管６５ｄに送られる。
【０１００】
そして、合流ガス接続管６５ｄに送られた低圧のガス冷媒は、低圧ガス開閉弁６７ｄ及び低圧ガス接続管６４ｄを通じて、低圧ガス冷媒連絡管９に送られる。
【０１０１】
そして、低圧ガス冷媒連絡管９に送られた低圧のガス冷媒は、ガス側閉鎖弁３３を通じて、圧縮機２１の吸入側に戻される。
【０１０２】
また、レシーバ２８に送られた冷媒は、レシーバ２８内に一時的に溜められた後、レシーバ逆流防止機構としてのレシーバ逆流防止用逆止弁２８ｄ及び出口逆止弁２９ｄを通じて、第１熱源側流量調節弁２６に送られる。そして、第１熱源側流量調節弁２６に送られた冷媒は、第１熱源側流量調節弁２６において流量調節された後、第１熱源側熱交換器２４において、室外ファン３４によって供給される室外空気と熱交換を行うことによって蒸発して低圧のガス冷媒になり、第１熱交切換機構２２に送られる。そして、第１熱交切換機構２２に送られた低圧のガス冷媒は、低圧ガス冷媒連絡管９及びガス側閉鎖弁３３を通じて圧縮機２１の吸入側に戻される低圧のガス冷媒と合流して、圧縮機２１の吸入側に戻される。
【０１０３】
このようにして、通常運転モードの冷暖同時運転（放熱負荷主体）における動作が行われる。尚、暖房運転を行う利用ユニット（すなわち、冷媒の放熱器として機能する利用側熱交換器）の数が少なくなる等によって、利用側熱交換器５２ａ、５２ｂ、５２ｃ、５２ｄ全体の放熱負荷が小さくなる場合には、第２熱源側熱交換器２５を冷媒の放熱器として機能させることで、第１熱源側熱交換器２４の蒸発負荷と第２熱源側熱交換器２５との放熱負荷とを相殺して熱源側熱交換器２４、２５全体の蒸発負荷を小さくする運転が行われる。
【０１０４】
＜冷媒量判定運転モード＞
−冷媒自動充填運転−
まず、冷媒量判定運転モードの冷媒自動充填運転における動作について、図６〜図８を用いて説明する。ここで、図６は、冷媒自動充填運転のフローチャートである。図７は、冷媒量判定運転モードの冷媒自動充填運転における動作（冷媒の流れ）を示す図である。図８は、冷媒量判定運転における熱源側熱交換器２４、２５の液側における冷媒の過冷却度と冷媒回路１０内の冷媒量との関係を示すグラフである。
【０１０５】
ここでは、現地において、冷媒が予め充填された熱源ユニット２と、利用ユニット３ａ、３ｂ、３ｃ、３ｄと、接続ユニット４ａ、４ｂ、４ｃ、４ｄとを、冷媒連絡管７、８、９を介して接続して冷媒回路１０を構成した後に、冷媒連絡管７、８、９の長さに応じて不足する冷媒を冷媒回路１０内に追加充填する場合を例にして説明する。
【０１０６】
まず、熱源ユニット２の閉鎖弁３１、３２、３３を開けて、熱源ユニット２に予め充填された冷媒を冷媒回路１０内に充満させる。
【０１０７】
次に、サービスマン等が、リモコン（図示せず）や制御部２０、５０ａ、５０ｂ、５０ｃ、５０ｄ等を通じて、冷媒量判定運転モードの冷媒自動充填運転を行うように指令を出すと、下記のステップＳ１１からステップＳ１４の手順で冷媒自動充填運転が行われる。
【０１０８】
冷媒自動充填運転の開始指令がなされると、ステップＳ１１の冷媒量判定運転が開始される。この冷媒量判定運転では、通常運転モードの冷房運転（図２参照）と同様に、利用ユニット３ａ、３ｂ、３ｃ、３ｄの全てが冷房運転（すなわち、利用側熱交換器５２ａ、５２ｂ、５２ｃ、５２ｄの全てが冷媒の蒸発器として機能する運転）を行い、熱源側熱交換器２４、２５が冷媒の放熱器として機能する運転を行う。
【０１０９】
但し、冷媒量判定運転では、通常運転モードの冷房運転とは異なり、下記のような機器制御を行って、主として、冷媒回路１０内を循環する冷媒の状態を安定させるようにしている。具体的には、冷媒回路１０における高圧（ここでは、吐出圧力センサ７３によって検出される冷媒の圧力を使用）が目標高圧になるように、室外ファン３４の回転数を制御（以下、「高圧制御」とする）している。また、冷媒回路１０における低圧（ここでは、吸入圧力センサ７１によって検出される冷媒の圧力を使用）が目標低圧になるように、圧縮機２１の運転容量を制御（以下、「低圧制御」とする）している。また、利用側熱交換器５２ａ、５２ｂ、５２ｃ、５２ｄのガス側から圧縮機２１の吸入側の部分における冷媒の過熱度（ここでは、吸入圧力センサ７１によって検出される冷媒の圧力を冷媒の飽和温度に換算し、この飽和温度から吸入温度センサ７２によって検出される冷媒の温度を差し引いた温度差を使用）が目標過熱度になるように、利用側流量調節機構５１ａ、５１ｂ、５１ｃ、５１ｄの開度を制御（以下、「過熱度制御」とする）している。さらに、レシーババイパス管３８に冷媒を流してレシーバ２８をバイパスさせるように、バイパス側流量調節機構としてのバイパス側流量調節弁３９等を制御（以下、「レシーババイパス制御」とする）している。ここで、高圧制御を行うのは、冷媒回路１０における高圧部分（例えば、熱源側熱交換器２４、２５や液冷媒連絡管７等）における冷媒量が、冷媒回路１０における高圧に大きく影響するからである。また、低圧制御及び過熱度制御を行うのは、冷媒回路１０における低圧部分（例えば、利用側熱交換器５２ａ、５２ｂ、５２ｃ、５２ｄやガス冷媒連絡管８、９等）における冷媒量が、冷媒回路１０における低圧や冷媒の乾き度合いに大きく影響するからである。さらに、レシーババイパス制御を行うのは、レシーバ２８を有する冷媒回路１０においては、レシーバ２８内にどのくらいの冷媒量が存在するかが、冷媒量判定時の誤差に大きく影響するからである。すなわち、高圧制御、低圧制御及び過熱度制御を行うことによって、冷媒回路１０内を循環する冷媒の状態が概ね安定して、これにより、冷媒回路１０内の冷媒量の変化が、熱源側熱交換器２４、２５の液側における冷媒の過冷却度（ここでは、吐出圧力センサ７３によって検出される冷媒の圧力を冷媒の飽和温度に換算し、この飽和温度を液側温度センサ７４によって検出される冷媒の温度から差し引いた温度差を使用）の変化として現れる傾向になるが、レシーバ２８に冷媒が導入される状態になっていると、レシーバ２８内の冷媒量の変化が発生して、冷媒の過冷却度が適切に変化しなくなるからである。これに対して、従来のようにレシーバ液面を一定に保つことも考えられるが、レシーバ２８に液面検知手段を設ける必要があり、また、液面検知手段として液面検知管を使用する場合には十分な精度が得られにくい場合があるため、レシーバ２８の液面を一定に保つことが難しく、結果的に、冷媒の過冷却度が適切に変化しない状況が発生してしまうことになる。
【０１１０】
そこで、ここでは、冷媒回路１０内を循環する冷媒の状態を安定させて冷媒の過冷却度が適切に変化する状況が得られるように、高圧制御、低圧制御及び及び過熱度制御とともに、レシーババイパス制御を行うようにしている。レシーババイパス制御は、主として、レシーババイパス管３８に冷媒を流してレシーバ２８をバイパスさせる。具体的には、レシーババイパス管３８に設けられたバイパス側流量調節機構としてのバイパス側流量調節弁３９を開ける制御を行う。また、バイパス側流量調節弁３９を開ける制御とともに、熱源側流量調節機構としての熱源側流量調節弁２６、２７を閉止する制御を行う。さらに、レシーバガス抜き管４１に設けられたレシーバガス抜き用流量調節機構としてのレシーバガス抜き用流量調節弁４２を開ける制御を行う。これにより、図７に示すように、レシーババイパス管３８によってレシーバ２８に冷媒を流さないようにし、レシーバ２８を冷媒回路１０から切り離した状態（すなわち、レシーバ２８に冷媒が導入されない状態）で冷房運転が行われることになる。しかも、ここでは、レシーバ出口管２８ｂにレシーバ逆流防止機構としてのレシーバ逆流防止用逆止弁２８ｄが設けられているため、レシーババイパス管３８を通じてレシーバ２８をバイパスした冷媒がレシーバ２８に流入することも抑制される。さらに、レシーバガス抜き用流量調節機構としてのレシーバガス抜き用流量調節弁４２を開けることで、レシーバ２８内に存在する液冷媒が減圧蒸発して圧縮機２１の吸入側に抜き出されるため、レシーバ２８を空の状態に近づくようになる。
【０１１１】
以上のような冷媒回路１０内を循環する冷媒の状態を安定させる制御を伴う冷媒量判定運転を行いつつ、ステップＳ１２の冷媒回路１０内に冷媒の追加充填を実施する。ここでは、冷媒の追加充填は、図７に示すように、圧縮機２１の吸入側に設けられた充填ノズル２１ｂに冷媒ボンベ等を接続して行われる。
【０１１２】
ステップＳ１２の冷媒充填が開始された後は、熱源側熱交換器２４、２５の液側における冷媒の過冷却度を検出して、ステップＳ１３において、図８に示す冷媒回路１０内の冷媒量の目標量Ｍｔに対応する冷媒の過冷却度の目標値ＳＣｔに到達したかどうか（冷媒回路１０内の冷媒量の適否）を判定する。具体的には、追加充填される冷媒量が少なく冷媒量が目標量Ｍｔに達していない場合においては、冷媒の過冷却度が目標値ＳＣｔよりも小さい値になるが、冷媒の追加充填が進むと、冷媒の過冷却度が大きくなる。そして、ステップＳ１３において、冷媒の過冷却度が目標値ＳＣｔに到達するまで（すなわち、冷媒回路１０内の冷媒量の目標値Ｍｔに到達するまで）、ステップＳ１２、Ｓ１３の処理が繰り返される。
【０１１３】
そして、ステップＳ１３において、冷媒回路１０内の冷媒量の目標値Ｍｔに到達したと判定されると、ステップＳ１４の処理に移行し、冷媒の追加充填を終了する。
【０１１４】
このようにして、冷媒量判定運転モードの冷媒自動充填運転における動作が行われる。
【０１１５】
−冷媒漏洩検知運転−
次に、冷媒量判定運転モードの冷媒漏洩検知運転における動作ついて、図８〜図１０を用いて説明する。ここで、図９は、冷媒量判定運転モードの冷媒漏洩検知運転のフローチャートである。図１０は、冷媒量判定運転モードの冷媒漏洩検知充填運転における動作（冷媒の流れ）を示す図である。
【０１１６】
ここでは、通常運転モードにおける各種運転が所定時間行われた後に、冷媒回路１０内の冷媒量が基準量を満たすかどうか（すなわち、冷媒回路１０から外部に冷媒が漏洩していないかどうか）を検知する場合を例にして説明する。
【０１１７】
まず、サービスマン等が、リモコン（図示せず）や制御部２０、５０ａ、５０ｂ、５０ｃ、５０ｄ等を通じて、冷媒量判定運転モードの冷媒漏洩検知運転を行うように指令を出すと（ステップＳ２１）、下記のステップＳ２２からステップＳ２５の手順で冷媒漏洩検知運転が行われる。
【０１１８】
次に、冷媒漏洩検知運転の開始指令がなされると、ステップＳ２２の冷媒量判定運転が開始される。この冷媒量判定運転は、冷媒自動充填運転のステップＳ１１における冷媒量判定運転と同様の運転である。すなわち、図１０に示すように、利用ユニット３ａ、３ｂ、３ｃ、３ｄの全てが冷房運転（すなわち、利用側熱交換器５２ａ、５２ｂ、５２ｃ、５２ｄの全てが冷媒の蒸発器として機能する運転）を行い、熱源側熱交換器２４、２５が冷媒の放熱器として機能する運転を行うとともに、高圧制御、低圧制御及び及び過熱度制御とともに、レシーババイパス制御を行う。これにより、冷媒自動充填運転時と同様に、冷媒回路１０内を循環する冷媒の状態を安定させて冷媒の過冷却度が適切に変化する状況が得られるようになる。
【０１１９】
以上のような冷媒回路１０内を循環する冷媒の状態を安定させる制御を伴う冷媒量判定運転を行いつつ、熱源側熱交換器２４、２５の液側における冷媒の過冷却度を検出して、ステップＳ２３において、図８に示す冷媒回路１０内の冷媒量の基準量Ｍｓ（例えば、冷媒自動充填運転時の冷媒量の目標量Ｍｔ）を満たすかどうか（冷媒回路１０内の冷媒量の適否）を判定する。具体的には、冷媒回路１０から外部に冷媒が漏洩していない場合においては、冷媒の過冷却度が冷媒量の基準量Ｍｓに対応する過冷却度の基準値ＳＣｓとほぼ同じ値になるが、冷媒回路１０から外部に冷媒が漏洩している場合には、冷媒の過冷却度が基準値ＳＣｓよりも小さくなる。
【０１２０】
そして、ステップＳ２３において、冷媒回路１０内の冷媒量の基準量Ｍｓを満たしていると判定されると、ステップＳ２４の通常運転モードへの復帰処理を行い、冷媒回路１０内の冷媒量の基準量Ｍｓを満たしていないと判定されると、ステップＳ２５の処理に移行して、冷媒の漏洩が発生していることをリモコン（図示せず）や制御部２０、５０ａ、５０ｂ、５０ｃ、５０ｄ等に警告表示をして、ステップＳ２４の通常運転モードへの復帰処理を行う。ステップＳ２４の通常運転モードへの復帰処理では、熱源側流量調節機構としての熱源側流量調節弁２６、２７を開ける制御を行い、バイパス側流量調節機構としてのバイパス側流量調節弁３９を閉止する制御を行うことで、レシーババイパス管３８に冷媒を流さずにレシーバ２８に冷媒を流すように切り換える（すなわち、レシーバ２８に冷媒が導入されない状態を解除する）。そして、図２〜図５に示されるような通常運転モードの各種運転に復帰する。
【０１２１】
このようにして、冷媒量判定運転モードの冷媒漏洩検知運転における動作が行われる。
【０１２２】
尚、本冷媒漏洩検知運転は、リモコン（図示せず）や制御部２０等に、例えば、２ヶ月に１回定期的に本冷媒漏洩検知運転が実行されるように設定しておき、運転時期になった場合に、自動的に運転するようにしてもよい。
【０１２３】
（３）冷凍装置（冷暖同時運転型空気調和装置）の特徴
冷暖同時運転型空気調和装置１には、以下のような特徴がある。
【０１２４】
＜Ａ＞
ここでは、上記のように、冷媒量判定運転時（図７及び図１０）にレシーババイパス管３８によってレシーバ２８に冷媒を流さないようにすることができる。このため、レシーバ２８を冷媒回路１０から切り離した状態（すなわち、レシーバ２８に冷媒が導入されない状態）で冷媒回路１０内の冷媒量の適否を判定することができる。これにより、ここでは、冷媒量判定時の誤差を小さくすることができる。
【０１２５】
＜Ｂ＞
ここでは、上記のように、レシーバ逆流防止機構としてのレシーバ逆流防止用逆止弁２８ｄによってレシーバ２８をバイパスした冷媒がレシーバ２８に流入することを抑制することができる。すなわち、冷媒量判定運転時には、レシーババイパス管３８を通じて熱源側熱交換器２４、２５の液側からレシーバ出口管２８ｂに冷媒が流入することになるが、このレシーバ出口管２８ｂに流入した冷媒がレシーバ２８の出口からレシーバ２８内に逆流しないようになっている。これにより、ここでは、冷媒量判定運転時に、レシーバ２８を冷媒回路１０から切り離した状態を維持することができる。
【０１２６】
＜Ｃ＞
ここでは、上記のように、冷媒回路１０の熱源側熱交換器２４、２５と熱源側流量調節機構としての熱源側流量調節弁２６、２７との間の部分から分岐するようにレシーババイパス管３８を接続しているため、通常運転時には熱源側流量調節弁２６、２７を開けることによって、熱源側熱交換器２４、２５を通過した冷媒をレシーバ２８に導き、冷媒量判定運転時には熱源側流量調節弁２６、２７を閉止することによって、熱源側熱交換器２４、２５を通過した冷媒をレシーババイパス管３８に導いて、レシーバ２８をバイパスさせることができる。これにより、ここでは、通常運転から冷媒量判定運転への移行時に、レシーバ２８を冷媒回路１０から切り離した状態に確実に切り換えることができる。
【０１２７】
＜Ｄ＞
ここでは、上記のように、レシーババイパス管３８にバイパス側流量調節機構としてのバイパス側流量調節弁３９を設けているため、通常運転時にはバイパス側流量調節弁３９を閉止することによって、熱源側熱交換器２４、２５を通過した冷媒がレシーバ２８をバイパスしないようにし、冷媒量判定運転時にはバイパス側流量調節弁３９を開けることによって、熱源側熱交換器２４、２５を通過した冷媒をレシーババイパス管３８に導いて、レシーバ２８をバイパスさせることができる。これにより、ここでは、冷媒量判定運転から通常運転への復帰時に、レシーバ２８を使用する状態に確実に切り換えることができる。
【０１２８】
＜Ｅ＞
ここでは、上記のように、レシーババイパス管３８のバイパス側流量調節機構としてのバイパス側流量調節弁３９の上流側の部分にバイパス逆流防止機構としてのバイパス逆流防止用逆止弁４０ａ、４０ｂを設けているため、バイパス側流量調節弁３９を開けた状態において、冷媒がレシーババイパス管３８を逆流することを抑制することができる。例えば、通常運転から冷媒量判定運転への移行時において、熱源側流量調節機構としての熱源側流量調節弁２６、２７及びバイパス側流量調節弁３９の両方が開いた状態になった場合には、レシーバ出口管２８ｂと熱源側熱交換器２４、２５の液側との圧力差によっては、冷媒がレシーババイパス管３８を逆流するおそれがあるが、バイパス逆流防止用逆止弁４０ａ、４０ｂによって、このような逆流を抑制することができる。
【０１２９】
＜Ｆ＞
ここでは、上記のように、レシーババイパス管３８にバイパス逆流防止機構としてのバイパス逆流防止用逆止弁４０ａ、４０ｂをバイパスする液封防止管３８ｄを設けているため、バイパス側流量調節機構としてのバイパス側流量調節弁３９を閉止した状態において、レシーババイパス管３８のバイパス逆流防止用逆止弁４０ａ、４０ｂとバイパス側流量調節弁３９との間の部分における液封を防止することができる。例えば、通常運転においては、バイパス側流量調節弁３９が閉止されていることから、レシーババイパス管３８のバイパス逆流防止用逆止弁４０ａ、４０ｂとバイパス側流量調節弁３９との間の部分が液封になるおそれがあるが、液封防止管３８ｄによって、このような液封を防止することができる。
【０１３０】
＜Ｇ＞
ここでは、上記のように、レシーバ２８にレシーバガス抜き管４１を接続しているため、冷媒量判定運転時に、レシーバ２８内に存在する液冷媒を減圧蒸発させることで圧縮機２１の吸入側に抜き出して、レシーバ２８を空の状態に近づけることができる。これにより、ここでは、冷媒量判定時の誤差をさらに小さくすることができる。特に、ここでは、上記のように、レシーババイパス管３８によってレシーバ２８を冷媒回路１０から切り離した状態（すなわち、レシーバ２８に冷媒が導入されない状態）にしているため、冷媒量判定運転時の冷媒回路１０内における冷媒の循環を阻害することなく、レシーバ２８を空の状態に近づけることができる。
【０１３１】
（４）変形例
上記の実施形態では、本発明が適用される冷凍装置として、冷暖同時運転型空気調和装置１の構成例に挙げて説明しているが、これに限定されるものではない。すなわち、冷暖切換運転型や冷房運転専用型の空気調和装置等であっても、圧縮機と熱源側熱交換器とレシーバと利用側熱交換器とを含む冷媒回路を有しており、利用側熱交換器から要求される熱負荷に応じた冷凍サイクル運転である通常運転と、冷媒回路内の冷媒量の適否を判定するための冷凍サイクル運転である冷媒量判定運転とを切り換えて行うことが可能な構成であれば、本発明を適用することが可能である。
【０１３２】
また、上記の実施形態では、熱源側熱交換器が２つの熱源側熱交換器２４、２５に分割された構造を採用しているが、分割構造でなくてもよい。この場合には、熱源側流量調節機構としての熱源側流量調節弁やレシーババイパス管３８のバイパス分岐管が１つでよいことになる。
【産業上の利用可能性】
【０１３３】
本発明は、圧縮機と熱源側熱交換器とレシーバと利用側熱交換器とを含む冷媒回路を有しており、利用側熱交換器から要求される熱負荷に応じた冷凍サイクル運転である通常運転と、冷媒回路内の冷媒量の適否を判定するための冷凍サイクル運転である冷媒量判定運転とを切り換えて行うことが可能な冷凍装置に対して、広く適用可能である。
【符号の説明】
【０１３４】
１              冷暖同時運転型空気調和装置（冷凍装置）
１０            冷媒回路
２１            圧縮機
２４、２５      熱源側熱交換器
２６、２７      熱源側流量調節弁（熱源側流量調節機構）
２８            レシーバ
２８ｄ          レシーバ逆流防止用逆止弁（レシーバ逆流防止機構）
３８            レシーババイパス管
３８ｄ          液封防止管
３９            バイパス側流量調節弁（バイパス側流量調節機構）
４０ａ、４０ｂ  バイパス逆流防止用逆止弁（バイパス逆流防止機構）
４１            レシーバガス抜き管
５２ａ〜５２ｄ  利用側熱交換器
【先行技術文献】
【特許文献】
【０１３５】
【特許文献１】特開２００６−２９２２１２号公報
【図１】
2015075259.tif 000003
【図２】
2015075259.tif 000004
【図３】
2015075259.tif 000005
【図４】
2015075259.tif 000006
【図５】
2015075259.tif 000007
【図６】
2015075259.tif 000008
【図７】
2015075259.tif 000009
【図８】
2015075259.tif 000010
【図９】
2015075259.tif 000011
【図１０】
2015075259.tif 000012